(57)【要約】【課題】止水状態であっても、吐水状態に変更した場合の吐水の状況を推測可能な水栓の操作装置を提供することができる。【解決手段】水栓の操作装置２０は、回転軸Ｒ周りに回転自在に構成され、回転操作により吐水の温度調節と流量調節の一方を行う第１操作部３０と、第１操作部３０と同軸上に配されるとともに回転軸Ｒ周りに回転自在に構成され、回転操作により吐水の温度調節と流量調節の他方を行う第２操作部４０と、第１操作部３０と第２操作部４０の間に配されるとともに回転軸Ｒ周りに回転不能に構成され、第１操作部３０と第２操作部４０の少なくとも一方の回転操作量を表示する表示部５０と、を備える。【選択図】図２
2020153092.tif 000002
【特許請求の範囲】
【請求項１】
回転軸周りに回転自在に構成され、回転操作により吐水の温度調節と流量調節の一方を行う第１操作部と、
前記第１操作部と同軸上に配されるとともに回転軸周りに回転自在に構成され、回転操作により前記吐水の温度調節と流量調節の他方を行う第２操作部と、
前記第１操作部と前記第２操作部の間に配されるとともに前記回転軸周りに回転不能に構成され、前記第１操作部と前記第２操作部の少なくとも一方の回転操作量を表示する表示部と、を備えた水栓の操作装置。
【請求項２】
前記第１操作部と前記第２操作部は、操作状態において前記第２操作部が前記第１操作部に対して操作者から見て奥方に位置するように並んで配され、
前記第２操作部の奥行き寸法が前記第１操作部の奥行き寸法より大きい請求項１に記載の水栓の操作装置。
【請求項３】
前記第１操作部と前記第２操作部は、操作状態において前記第２操作部が前記第１操作部に対して操作者から見て奥方に位置するように並んで配され、
前記第２操作部は、回転操作時に把持される把持部を有し、
前記把持部は、前記回転軸に対して前記第１操作部の外周面より前記回転軸と直交する方向に離れて位置する請求項１又は請求項２に記載の水栓の操作装置。
【請求項４】
前記表示部は、前記第１操作部の回転操作量を表示する第１表示部と、前記第２操作部の回転操作量を表示する第２表示部と、を有し、
前記第２表示部は、前記第１表示部の外周面より前記回転軸と直交する方向に離れて位置する請求項３に記載の水栓の操作装置。
【請求項５】
前記表示部は、前記第１操作部の回転操作量を表示する第１表示部と、前記第２操作部の回転操作量を表示する第２表示部と、を有し、
前記第１操作部と前記第２操作部の並び方向において、前記第１表示部が前記第１操作部側に位置するとともに前記第２表示部が前記第２操作部側に位置する請求項１から請求項４のいずれか１項に記載の水栓の操作装置。
【発明の詳細な説明】
【技術分野】
【０００１】
本発明は水栓の操作装置に関する。
【背景技術】
【０００２】
特許文献１には吐水装置の操作部に係る構成が開示されている。この操作部は、流調ダイヤルボタンと温調ダイヤルを有する。吐水装置は、流調ダイヤルボタンの押圧操作により、吐止水が切り替えられ、流調ダイヤルボタンの回転操作により、吐水流量が調節される。また、吐水装置は、温調ダイヤルの回転操作により、吐水温度が調節される。
【先行技術文献】
【特許文献】
【０００３】
【特許文献１】特開２０１６−１３８３７９号公報
【発明の概要】
【発明が解決しようとする課題】
【０００４】
しかし、特許文献１に開示の構成は、流調ダイヤルボタンの回転操作量や温調ダイヤルの回転操作量を表示する表示部を有しないため、操作者は流調ダイヤルボタンの回転操作量や温調ダイヤルの回転操作量を認識することができない。このような構成では、吐水状態では、その流量を見て、また吐水に触れることにより、吐水の状況を判断できたとしても、止水状態では、吐水状態に変更した場合の吐水の状況を判断することができない。このため、特許文献１に開示の構成では、吐水状態に変更した際に意図しない流量や温度の湯水が吐水される虞があり問題がある。
【０００５】
本発明は、上記従来の実情に鑑みてなされたものであって、止水状態であっても吐水状態に変更した場合の吐水の状況を容易に判断できる水栓の操作装置を提供することを解決すべき課題としている。
【課題を解決するための手段】
【０００６】
本発明の水栓の操作装置は、
回転軸周りに回転自在に構成され、回転操作により吐水の温度調節と流量調節の一方を行う第１操作部と、
前記第１操作部と同軸上に配されるとともに回転軸周りに回転自在に構成され、回転操作により前記吐水の温度調節と流量調節の他方を行う第２操作部と、
前記第１操作部と前記第２操作部の間に配されるとともに前記回転軸周りに回転不能に構成され、前記第１操作部と前記第２操作部の少なくとも一方の回転操作量を表示する表示部と、を備えている。
【０００７】
この水栓の操作装置は、第１操作部と第２操作部の間に回転軸周りに回転しない表示部が配置されるから、止水状態であっても少なくとも第１操作部と第２操作部のいずれかの回転操作量を認識することができる。このため、止水状態であっても吐水状態に変更した場合の吐水の温度や流量を推測して、吐水の状況を判断することができる。
【発明の効果】
【０００８】
本発明によれば、止水状態であっても、吐水状態に変更した場合の吐水の状況を容易に判断できる水栓の操作装置を提供することができる。
【図面の簡単な説明】
【０００９】
【図１】実施例１に係る洗面台を斜め上方から視た斜視図である。
【図２】水栓の操作装置を斜め上方から視た斜視図である。
【図３】（ａ）は、回転操作する前の状態において、第１操作部の回転操作量を表示する表示部を模式的に表す模式図である。（ｂ）は、第１操作部を回転操作する過程を模式的に表す模式図である。（ｃ）は、回転操作した後の状態において、第１操作部の回転操作量を表示する表示部を模式的に表す模式図である。
【図４】（ａ）は、実施例２に係る操作装置を回転操作する前の状態において、第１操作部と第２操作部の回転操作量を表示する表示部を模式的に表す模式図である。（ｂ）は、第１操作部と第２操作部を回転操作する過程を模式的に表す模式図である。（ｃ）は、回転操作をした後の状態において、第１操作部と第２操作部の回転操作量を表示する表示部を模式的に表す模式図である。
【図５】（ａ）は、実施例３に係る水栓の操作装置を、第１操作部の押し込み位置において斜め上方から視た斜視図である。（ｂ）は、実施例３に係る水栓の操作装置を、第１操作部の突出位置において斜め上方から視た斜視図である。
【図６】（ａ）は、回転操作する前の状態において、第１操作部と第２操作部の回転操作量を表示する表示部を模式的に表す模式図である。（ｂ）は、第１操作部と第２操作部を回転操作する過程を模式的に表す模式図である。（ｃ）は、回転操作をした後の状態において、第１操作部と第２操作部の回転操作量を表示する表示部を模式的に表す模式図である。
【発明を実施するための形態】
【００１０】
本発明における好ましい実施の形態を説明する。
【００１１】
本発明の水栓の操作装置において、前記第１操作部と前記第２操作部は、操作状態において前記第２操作部が前記第１操作部に対して操作者から見て奥方に位置するように並んで配され、前記第２操作部の奥行き寸法が前記第１操作部の奥行き寸法より大きくてもよい。この構成によれば、夫々の操作部を操作し易い。
【００１２】
本発明の水栓の操作装置において、前記第１操作部と前記第２操作部は、操作状態において前記第２操作部が前記第１操作部に対して操作者から見て奥方に位置するように並んで配され、前記第２操作部は、回転操作時に把持される把持部を有し、前記把持部は、前記回転軸に対して前記第１操作部の外周面より前記回転軸と直交する方向に離れて位置してもよい。この構成によれば、夫々の操作部を操作し易い。
【００１３】
本発明の水栓の操作装置において、前記表示部は、前記第１操作部の回転操作量を表示する第１表示部と、前記第２操作部の回転操作量を表示する第２表示部と、を有し、前記第２表示部は、前記第１表示部の外周面より前記回転軸と直交する方向に離れて位置してもよい。この構成によれば、第１表示部の外周面と第２表示部の位置関係を、第１操作部の外周面と第２操作部の把持部の位置関係と対応させることにより、第１表示部が第１操作部の回転操作量を示し、第２表示部が第２操作部の回転操作量を示していることを認識し易い。
【００１４】
本発明の水栓の操作装置において、前記表示部は、前記第１操作部の回転操作量を表示する第１表示部と、前記第２操作部の回転操作量を表示する第２表示部と、を有し、前記第１操作部と前記第２操作部の並び方向において、前記第１表示部が前記第１操作部側に位置するとともに前記第２表示部が前記第２操作部側に位置してもよい。この構成によれば、第１表示部と第２表示部が、回転操作量を表示する操作部側にそれぞれ位置するから、第１表示部が第１操作部の回転操作量を示し、第２表示部が第２操作部の回転操作量を示していることを認識し易い。
【００１５】
次に、本発明の水栓の操作装置を具体化した実施例１について、図面を参照しつつ説明する。
【００１６】
＜実施例１＞
実施例１として、図１に示すように、洗面台１００に設けられた水栓１０の操作装置２０について例示する。以下、操作装置２０の操作状態において、操作者に面する側を前方、その反対側を後方（操作者から見て奥方）とし、また上側（図１の上側）を上方、下側（図１の下側）を下方として説明する。
【００１７】
洗面台１００には、洗面ボウル１０１の上部後方にバックガード１０３が設けられている。バックガード１０３の前面には、前方に突出する形で水栓１０の操作装置２０と水栓１０の吐水口１１が取り付けられている。以下の説明では、バックガード１０３の前面を、操作装置２０の取付面１０３Ａともいう。
【００１８】
操作装置２０の後方には、弁装置１３が設けられている。弁装置１３には、水を供給する給水管１５と湯を供給する給湯管１７が接続されるとともに、吐水口１１に連なる吐水管１９が接続されている。弁装置１３は、操作者が操作装置２０を操作することにより内部の弁体が移動するように構成されている。弁装置１３は、第１の弁体が移動すると、給湯管１７と給水管１５から内部に流入する湯水の混合比が変更されて吐水の温度が調節される。また、弁装置１３は、第２の弁体が移動すると、吐水管１９に連なる流路の流量が調節され、また、流路が開閉されて吐水状態と止水状態の切り替えが行われる。
【００１９】
操作装置２０は、図２に示すように、吐水の温度調節を行う第１操作部３０と、吐水の流量調節を行う第２操作部４０と、表示部５０と、を備えている。本実施例では、操作装置２０は、吐水状態と止水状態の切り替えを行う第３操作部２１と、取付面１０３Ａに固定される台座部２３と、を更に備えている。操作装置２０は、３つの操作部３０，４０，２１と表示部５０が、台座部２３の前方に突出する形で一体的に設けられている。操作装置２０は、多機能でありながらすっきりとした外観を呈し、意匠性に優れる。
【００２０】
第１操作部３０は、回転軸Ｒ周りに回転自在に構成され、回転操作により吐水の温度調節を行う。具体的には、第１操作部３０は、略円筒状をなし、筒軸を回転軸Ｒと一致させた姿勢で弁装置１３に対して組み付けられている。第１操作部３０は、時計回り方向と反時計回り方向のいずれにも回転させることができるようになっている。第１操作部３０の回転操作により吐水の温度が調節される態様は、特に限定するものではないが、例えば、第１操作部３０の回転操作量に応じて弁装置１３内の第１の弁体が回転軸Ｒ方向に移動して、給湯管１７と連通する湯側ポートと給水管１５と連通する水側ポートの開度配分が変更される態様とすることができる。
【００２１】
第１操作部３０は、回転操作時に把持される第１把持部３１を有する。本実施例では、第１把持部３１は、第１操作部３０の外周面３０Ａと、外周面３０Ａから径方向に突出する凸部３３と、によって構成される。凸部３３は、第１操作部３０を操作する際に、操作者の指が掛かる指掛かり部とされる。このような構成により、例えば、操作者は凸部３３の側面に指をあてがいつつ外周面３０Ａの両側をつまむように把持して、第１操作部３０を回転操作することができる。第１操作部３０の前面には、第３操作部２１が挿通される挿通孔３５が形成されている。
【００２２】
第２操作部４０は、回転軸Ｒ周りに回転自在に構成され、回転操作により流量調節を行う。具体的には、第２操作部４０は、略円筒状をなし、筒軸を回転軸Ｒと一致させた姿勢で弁装置１３に対して組み付けられている。第２操作部４０は、時計回り方向と反時計回り方向のいずれにも回転させることができるようになっている。第２操作部４０の回転操作により吐水の流量が調節される態様は、特に限定するものではないが、例えば、第２操作部４０の回転操作量に応じて弁装置１３内の第２の弁体が回転軸Ｒ方向に移動して、吐水管１９に連なる流路の開度が変更される態様とすることができる。
【００２３】
第２操作部４０は、回転操作時に把持される第２把持部４１（把持部）を有する。本実施例では、第２把持部４１は、第２操作部４０の外周面４０Ａによって構成される。第２把持部４１は、複数の連続した凹凸形状を有している。このような構成により、例えば、操作者が第２把持部４１を把持して第２操作部４０に回転操作力を付与する際に、手指が滑りにくくなっている。また、第２把持部４１が凹凸形状を有する一方、第１操作部３０の外周面３０Ａが平滑な面とされることにより、操作者が第２操作部４０と第１操作部３０とを視覚的にまた触覚的に判別しやすくなっている。
【００２４】
この第２把持部４１は、回転軸Ｒに対して第１操作部３０の外周面３０Ａより回転軸Ｒと直交する方向に離れて位置する。具体的には、第２把持部４１を構成する第２操作部４０の外周面４０Ａが第１操作部３０の外周面３０Ａより径方向外側に位置する。本実施例では、第１操作部３０の外周面３０Ａと表示部５０の外周面５０Ａが略面一状に連なっており、第２操作部４０の外周面４０Ａはこれらの外周面３０Ａ，５０Ａに対して段差を有して径方向外側に位置する構成となっている。言い換えれば、第１操作部３０と表示部５０は同等の外径を有する一方、第２操作部４０は第１操作部３０より大きい外径を有している。
【００２５】
第３操作部２１は、回転軸Ｒ方向に移動自在に構成され、移動操作により吐水状態と止水状態の切り替えを行う。具体的には、第３操作部２１は、略円柱状をなし、柱軸を第１操作部３０の回転軸Ｒと一致させた姿勢で弁装置１３に対して組み付けられている。第３操作部２１は、第１操作部３０の挿通孔３５に挿通され、第１操作部３０から突出した突出位置と、第１操作部３０に押し込まれた押し込み位置と、に移動操作により変位する構成である。水栓１０は、第３操作部２１の突出位置において吐水状態とされ、押し込み位置において止水状態とされる。図２においては、第３操作部２１の突出位置を表す。第３操作部２１の移動操作により吐水状態と止水状態の切り替えが行われる態様は、特に限定するものではないが、例えば、第３操作部２１の位置に応じて弁装置１３内の第２の弁体が回転軸Ｒ方向に移動して、吐水管１９に連通する流路が開閉される態様とすることができる。
【００２６】
第１操作部３０と第２操作部４０は、互いに同軸上に配される。本実施例では、第１操作部３０と第２操作部４０は、操作状態において第２操作部４０が第１操作部３０に対して操作者から見て奥方に位置するように並んで配される。具体的には、第１操作部３０と第２操作部４０は、回転軸Ｒを取付面１０３Ａと交差させる姿勢で取付面１０３Ａに取り付けられ、第２操作部４０が第１操作部３０より取付面１０３Ａ側に配される。第１操作部３０及び第２操作部４０は、互いに独立して回転軸Ｒ周りに回転自在に構成される一方、回転軸Ｒ方向に沿って移動することが規制されている。このような構成により、操作者は操作する手指の位置を回転軸Ｒに沿って前後にずらすことにより、第１操作部３０と第２操作部４０のいずれかを選択して操作できるようになっている。
【００２７】
第１操作部３０と第２操作部４０は、第２操作部４０の奥行き寸法が第１操作部３０の奥行き寸法より大きい。つまり、第１操作部３０と第２操作部４０は、操作状態において、操作者から見て奥方（取付面１０３Ａ側）に位置する第２操作部４０の方が、第１操作部３０より指を掛ける部分の面積が大きくなっている。
【００２８】
表示部５０は、第１操作部３０と第２操作部４０の間に配されるとともに回転軸Ｒ周りに回転不能に構成されている。表示部５０は、円環状をなし、中心が回転軸Ｒ上に位置するように配置されている。表示部５０は、第１操作部３０の奥行き寸法より小さく、また、第２操作部４０の奥行き寸法より小さい。このような構成により、操作者が第１操作部３０又は第２操作部４０を操作する際に、意図せず表示部５０に指を掛けにくくなっている。
【００２９】
表示部５０は、図３に示すように、第１操作部３０の回転操作量を表示する。本実施例における第１操作部３０の回転操作量の表示態様は、表示部５０が指示部６０を有し、第１操作部３０が被指示部７０を有する態様とされる。指示部６０は、表示部５０の外周面５０Ａから凹むともに、回転軸Ｒに沿って延びる線状をなす。被指示部７０は、指示部６０が指示する領域の一端に設けられた水を表す青色の丸と、その他の領域に設けられた湯を表す赤色の線によって構成される。表示部５０は、第１操作部３０の回転操作量に応じて、被指示部７０において指示部６０が指示する色と位置が変化することにより、吐水の温度を示す。詳細には、指示部６０が青色の丸を指示する状態では、水が吐水されることを示し、指示部６０が赤色の線を指示する状態では、青色の丸からの距離が大きくなるにつれて吐水の温度が高くなることを示す。
【００３０】
以上説明したように、本実施例の水栓１０の操作装置２０は、回転軸Ｒ周りに回転自在に構成され、回転操作により吐水の温度調節を行う第１操作部３０と、第１操作部３０と同軸上に配されるとともに回転軸Ｒ周りに回転自在に構成され、回転操作により吐水の流量調節を行う第２操作部４０と、第１操作部３０と第２操作部４０の間に配されるとともに回転軸Ｒ周りに回転不能に構成され、第１操作部３０の回転操作量を表示する表示部５０と、を備える。
【００３１】
この水栓１０の操作装置２０によれば、第１操作部３０と第２操作部４０の間に回転軸Ｒ周りに回転しない表示部５０が配置されるから、止水状態であっても第１操作部３０の回転操作量を認識することができる。このため、止水状態であっても吐水状態に変更した場合の吐水の温度を推測して、吐水の状況を判断することができる。
【００３２】
したがって、止水状態であっても、吐水状態に変更した場合の吐水の状況を容易に判断できる水栓１０の操作装置２０を提供することができる。
【００３３】
本実施例では、第１操作部３０と第２操作部４０は、操作状態において第２操作部４０が第１操作部３０に対して操作者から見て奥方に位置するように並んで配され、第２操作部４０の奥行き寸法が第１操作部３０の奥行き寸法より大きい。この構成によれば、夫々の操作部３０，４０を操作し易い。さらに、第２操作部４０の奥行き寸法が第１操作部３０の奥行き寸法より大きいから、第１操作部３０より奥方に位置する第２操作部４０を回転操作する際に、第１操作部３０が操作の邪魔になりにくく、操作性に優れる。
【００３４】
本実施例では、第１操作部３０と第２操作部４０は、操作状態において第２操作部４０が第１操作部３０に対して操作者から見て奥方に位置するように並んで配され、第２操作部４０は、回転操作時に把持される第２把持部４１を有し、第２把持部４１は、回転軸Ｒに対して第１操作部３０の外周面３０Ａより回転軸Ｒと直交する方向に離れて位置する。この構成によれば、夫々の操作部３０，４０を操作し易い。さらに、第２把持部４１が回転軸Ｒに対して第１操作部３０の外周面３０Ａより回転軸Ｒと直交する方向に離れて位置するから、第２把持部４１を把持して第２操作部４０を回転操作する際に、第１操作部３０が操作の邪魔になりにくく、操作性に優れる。
【００３５】
また、本実施例によれば、第１操作部３０と第２操作部４０が同軸上に並んで配されるから、例えば、止水状態では第１操作部３０と第２操作部４０の一方が他方に収納されるような構成に比して、止水状態であっても第１操作部３０と第２操作部４０の各々を回転操作し易い。
【００３６】
＜実施例２＞
次に、実施例２に係る水栓１０の操作装置２２０について図４を参照しつつ説明する。実施例２の水栓１０の操作装置２２０は、表示部２５０が第１表示部２５１と第２表示部２５３を有する点で実施例１と相違する。なお、実施例１と同様の構成は同一の符号を付し、詳細な説明を省略する。
【００３７】
第１表示部２５１は、第１操作部３０の回転操作量を表示する。第２表示部２５３は、第２操作部４０の回転操作量を表示する。本実施例では、第１表示部２５１が第１操作部３０の回転操作量を指示する第１指示部２６１を有し、第２表示部２５３が第２操作部４０の回転操作量を指示する第２指示部２６３を有する。第１操作部３０の回転操作量の表示態様は第１操作部３０が吐水の温度を表す第１被指示部２７１を有する点で実施例１と同様であり、その説明を省略する。また、第２操作部４０の回転操作量の表示態様は、第２操作部４０が吐水の温度を表す被指示部ではなく吐水の流量を表す第２被指示部２７３を有する点で相違する他は、第１操作部３０の回転操作量の表示態様と同様であり、その説明を省略する。
【００３８】
表示部２５０は、第１操作部３０と第２操作部４０の並び方向において、第１表示部２５１が第１操作部３０側に位置するとともに第２表示部２５３が第２操作部４０側に位置する。また、第２表示部２５３は、第１表示部２５１の外周面２５１Ａより回転軸Ｒと直交する方向に離れて位置する。具体的には、表示部２５０は、第１表示部２５１が円環状をなし、第２表示部２５３が第１表示部２５１より径が大きい円環状をなす。そして、第１表示部２５１の外周面２５１Ａは第１操作部３０の外周面３０Ａと略面一状をなし、第２表示部２５３の外周面２５３Ａは第２操作部４０の外周面４０Ａと略面一状をなす。
【００３９】
本実施例では、第２表示部２５３は、第１表示部２５１の外周面２５１Ａより回転軸Ｒと直交する方向に離れて位置する。この構成によれば、第１表示部２５１の外周面５０Ａと第２表示部２５３の位置関係が、第１操作部３０の外周面３０Ａと第２操作部４０の第２把持部４１の位置関係と対応するから、第１表示部２５１が第１操作部３０の回転操作量を示し、第２表示部２５３が第２操作部４０の回転操作量を示していることを認識し易い。
【００４０】
また、本実施例では、第１操作部３０と第２操作部４０の並び方向において、第１表示部２５１が第１操作部３０側に位置するとともに第２表示部２５３が第２操作部４０側に位置する。この構成によれば、第１表示部２５１と第２表示部２５３が、回転操作量を表示する操作部側にそれぞれ位置するから、第１表示部２５１が第１操作部３０の回転操作量を示し、第２表示部２５３が第２操作部４０の回転操作量を示していることを認識し易い。
【００４１】
＜実施例３＞
次に、実施例３に係る水栓１０の操作装置３２０について図５及び図６を参照しつつ説明する。実施例３の水栓１０の操作装置３２０は、表示部３５０が第１被指示部３７１を表す点で実施例１と相違する。なお、実施例１と同様の構成は同一の符号を付し、詳細な説明を省略する。
【００４２】
第１操作部３３０は、図５に示すように、回転軸Ｒ周りに回転自在に構成され、回転操作により吐水の流量調節を行う。さらに、第１操作部３３０は、回転軸Ｒ方向に移動自在に構成され、移動操作により吐水状態と止水状態の切り替えを行う。つまり、第１操作部３３０は、実施例１の第２操作部４０と第３操作部２１の機能を併せ持つような操作部となっている。
【００４３】
第１操作部３３０は、回転軸Ｒ方向に沿って第２操作部３４０に収納される。つまり、第２操作部３４０は、第１操作部３３０を収納する収納部であるとも言える。第１操作部３３０は、自身の外周面３３０Ａを把持可能な位置まで第２操作部３４０から突出した突出位置と、外周面３３０Ａを把持不能な位置まで第２操作部３４０に押し込まれた押し込み位置と、に移動操作により変位する構成である。第１操作部３３０は、押し込み位置において、操作者が指を掛けて回転操作する指掛かり部３３１を有する。指掛かり部３３１は、第１操作部３３０の外表面に形成された凹形状によって構成される。言い換えれば、指掛かり部３３１は、回転軸Ｒに対してこれと直交する方向にずれた位置に形成され、第１操作部３０を回転操作する際に指で押圧される押圧面を有する構成をなす。
【００４４】
表示部３５０は、第１操作部３３０と第２操作部３４０の間に配されるとともに回転軸Ｒ周りに回転不能に構成されている。表示部３５０は、円環状をなし、中心が回転軸Ｒ上に位置するように配置されている。表示部３５０の内側には第１操作部３３０が挿通される。表示部３５０の外周面は第２操作部３４０の外周面と略面一状をなす。
【００４５】
図６に示すように、本実施例における第１操作部３３０の回転操作量の表示態様は、第１操作部３３０が第１指示部３６１を有し、表示部３５０が第１被指示部３７１を有する態様とされる。第１指示部３６１は、第１操作部３３０の指掛かり部３３１によって構成される。第１被指示部３７１は、表示部３５０の前面において、第１操作部３３０の回転操作に伴って第１指示部３６１が指示する領域に亘って形成されている。第１被指示部３７１は、第１指示部３６１が指示する領域の一端に設けられた「−（マイナス記号）」と、他端に設けられた「＋（プラス記号）」と、これらの間に配された線によって構成される。表示部３５０は、第１操作部３３０の回転操作量に応じて、第１被指示部３７１において第１指示部３６１が指示する位置が変化することにより、流量の大小を表す。詳細には、第１指示部３６１が「−（マイナス記号）」を指示する状態では、流量が少ないことを示し、第１指示部３６１が「−（マイナス記号）」から「＋（プラス記号）」に近づくにつれて流量が多くなることを示す。
【００４６】
第２操作部３４０は、自身の回転操作量を指示する第２指示部３６３を有する。第２指示部３６３は、外表面に形成された凸形状によって構成される。第２指示部３６３は、第２操作部３４０の回転操作時に把持される把持部であるとも言える。第２操作部３４０の回転操作量の表示態様は、第２操作部３４０が第２指示部３６３を有し、取付面１０３Ａが第２被指示部３７３を有する態様とされる。第２被指示部３７３は、第２指示部３６３が指示する領域に亘って形成されている。第２被指示部３７３は、第２指示部３６３が指示する領域の一端に設けられた水を表す青色の丸と、他端に設けられた湯を表す赤色の丸とによって構成される。第２操作部３４０の回転操作量を表示する表示部は、第２操作部３４０の回転操作量に応じて、第２被指示部３７３において第２指示部３６３が指示する色と位置が変化することにより、吐水の温度を表す。詳細には、第２指示部３６３が青色の丸を指示する状態では、水が吐水されることを示し、第２指示部３６３が青色の丸から赤色の丸に近づくにつれて吐水の温度が高くなることを示す。
【００４７】
本発明は上記記述及び図面によって説明した実施例に限定されるものではなく、例えば次のような実施例も本発明の技術的範囲に含まれる。
（１）実施例１、実施例２では、第１操作部が吐水の温度調節を行い、第２操作部が吐水の流量調節を行うものを例示したが、これに限られない。例えば、第１操作部が吐水の流量調節を行い、第２操作部が吐水の温度調節を行うものであってもよい。
（２）実施例１、実施例３では、表示部が第１操作部の回転操作量を表示するものを例示したが、これに限られない。例えば、表示部は第２操作部の回転操作量を表示するものであってもよい。
（３）実施例１〜実施例３以外にも、第１操作部と第２操作部の配置、形状は適宜変更可能である。例えば、第１操作部と第２操作部は、略同形同大とされてもかまわない。
（４）実施例１では、第２操作部の把持部として外周面を例示したが、把持部の構成はこれに限られない。例えば、第２操作部の把持部は、第２操作部の外周面と、外周面から径方向に突出する凸部と、によって構成されてもよい。
（５）実施例１〜実施例３では、操作装置が吐水状態と止水状態の切り替えを行う操作部を備えるものを例示したが、これに限られない。例えば、吐水状態と止水状態の切り替えは、操作装置とは別の部位に備えられた操作部により行われてもよい。
（６）実施例１〜実施例３以外にも、表示部が回転操作量を表示する態様は適宜変更可能である。表示部は、操作者が回転操作量を認識できるような表示の少なくとも一部分を表していればよい。操作者が回転操作量を認識できるような表示の少なくとも一部分としては、回転操作量を指示するための指示部や、回転操作量を指示する指示部によって指示される被指示部等を例示できる。被指示部は、指示部が指示する範囲に亘って形成された流量の大小に対応する図形や、水や湯を想起する文字や色等を表す。このような指示部と被指示部の一方を表示部に設け、他方を操作部に設けることにより、指示部が指す被指示部の位置等により操作部の回転操作量を表すことができる。また、指示部と被指示部の一方を表示部に設け、他方を操作部に設ける表示態様以外にも、例えば、表示部に開口部を形成し、操作部の回転操作に伴って開口部内に回転操作量に関する表示が表れるようにしてもよい。
【符号の説明】
【００４８】
１０…水栓
２０，２２０，３２０…操作装置
３０，３３０…第１操作部
３０Ａ…外周面
４０，３４０…第２操作部
４１…第２把持部（把持部）
５０，２５０，３５０…表示部
２５１…第１表示部
２５１Ａ…外周面
２５３…第２表示部
Ｒ…回転軸
【図１】
2020153092.tif 000003
【図２】
2020153092.tif 000004
【図３】
2020153092.tif 000005
【図４】
2020153092.tif 000006
【図５】
2020153092.tif 000007
【図６】
2020153092.tif 000008